(57)【要約】【課題】段調光の光出力を調整するときの作業効率を向上することができるとともに、各操作端末器の照明負荷に対して同じ段調光の光出力で制御することができる、照明制御装置および照明制御システムを提供する。【解決手段】照明負荷の近傍に設置し、この照明負荷を制御する照明制御装置において、照明負荷の光出力が段階的に変化する段調光の各段を操作部の入力に応じて切り替える段調光切替手段と、照明負荷における段調光の光出力を操作部の入力に応じて各段で増減する光出力増減手段と、照明負荷における段調光の光出力を操作部の入力に応じて各段で記憶する光出力記憶手段と、この光出力記憶手段が記憶する照明負荷の光出力または光出力増減手段が増減する照明負荷の光出力に基づいて照明負荷に調光信号を送信する調光信号送信手段とを備えたことを特徴とする。【選択図】図２
2009004292.tif 000002
【特許請求の範囲】
【請求項１】
照明負荷の近傍に設置し、該照明負荷を制御する照明制御装置において、
前記照明負荷の光出力が段階的に変化する段調光の各段を操作部の入力に応じて切り替える段調光切替手段と、
前記照明負荷における段調光の光出力を操作部の入力に応じて各段で増減する光出力増減手段と、
前記照明負荷における段調光の光出力を操作部の入力に応じて各段で記憶する光出力記憶手段と、
該光出力記憶手段が記憶する前記照明負荷の光出力または前記光出力増減手段が増減する前記照明負荷の光出力に基づいて前記照明負荷に調光信号を送信する調光信号送信手段とを備えたことを特徴とする照明制御装置。
【請求項２】
照明負荷を制御する照明制御システムにおいて、
照明負荷の近傍に設置し、伝送制御装置に制御データを送信することで該照明負荷を制御する照明制御装置が、
前記照明負荷の光出力が段階的に変化する段調光と連続的に変化する連続調光とを操作部の入力に応じて切り替える調光切替手段と、
前記照明負荷における段調光の光出力または連続調光の光出力を操作部の入力に応じて増減する光出力増減手段を備えるとともに、
照明制御システムの伝送を制御する前記伝送制御装置が、
前記照明制御装置が送信した制御データに基づいて前記照明負荷における段調光の光出力を記憶する光出力記憶手段を備え、
該光出力記憶手段が記憶する段調光の光出力と前記光出力増減手段が増減する段調光の光出力または連続調光の光出力に基づいて前記照明負荷に調光信号を送信することを特徴とする照明制御システム。
【請求項３】
前記照明制御装置が、前記照明負荷における段調光の各段を操作部の入力に応じて切り替える段調光切替手段を備えるとともに、
前記伝送制御装置が、前記照明制御装置が送信した制御データに基づいて前記照明負荷における段調光の光出力を各段で記憶する光出力記憶手段を備えたことを特徴とする請求項２に記載の照明制御システム。
【発明の詳細な説明】
【技術分野】
【０００１】
本発明は、照明負荷を制御する、照明制御装置および照明制御システムに関する。
【背景技術】
【０００２】
設置場所や設置環境に応じて照明負荷の光出力をさまざまに制御する照明制御システムが知られている。
【０００３】
たとえば、多重伝送方式を用い、操作端末器の入力に応じて照明負荷の光出力を制御する下記の特許文献１に記載の遠隔監視制御システムが公知である。また、このような遠隔監視制御システムにおいて照明負荷の光出力が段階的に変化する段調光と連続的に変化する連続調光とを１つの操作端末器で制御する下記の特許文献２に記載の遠隔監視制御システムが公知である。
【０００４】
具体的には、遠隔監視制御システムにおける分電盤の内部に調光端末器を備え、この調光端末器が、操作端末器の入力に応じた調光信号を照明負荷に送信することで照明負荷の光出力を制御している。
【特許文献１】特開平６−３３５０６８号公報
【特許文献２】特開２０００−２７７２７１号公報
【発明の開示】
【発明が解決しようとする課題】
【０００５】
ところで、上記の遠隔監視制御システムは、操作端末器が記憶した段調光の光出力データをもとに段調光の光出力を制御している。また、これらの遠隔監視制御システムの操作端末器は、段調光の光出力を変更するごとに段調光の光出力データを更新している。
【０００６】
このため、複数の操作端末器で構成した遠隔監視制御システムでは各操作端末器の調光データが異なってしまい、各操作端末器の照明負荷に対して同じ段調光の光出力で制御することができない。
【０００７】
以上にかんがみて、本発明の目的は、段調光の光出力を調整するときの作業効率を向上することができるとともに、各操作端末器の照明負荷に対して同じ段調光の光出力で制御することができる、照明制御装置および照明制御システムを提供することである。
【課題を解決するための手段】
【０００８】
請求項１にあっては、この課題を解決するために、照明負荷の近傍に設置し、この照明負荷を制御する照明制御装置において、照明負荷の光出力が段階的に変化する段調光の各段を操作部の入力に応じて切り替える段調光切替手段と、照明負荷における段調光の光出力を操作部の入力に応じて各段で増減する光出力増減手段と、照明負荷における段調光の光出力を操作部の入力に応じて各段で記憶する光出力記憶手段と、この光出力記憶手段が記憶する照明負荷の光出力または光出力増減手段が増減する照明負荷の光出力に基づいて照明負荷に調光信号を送信する調光信号送信手段とを備えたことを特徴とする。
【０００９】
請求項２にあっては、この課題を解決するために、照明負荷を制御する照明制御システムにおいて、照明負荷の近傍に設置し、伝送制御装置に制御データを送信することでこの照明負荷を制御する照明制御装置が、照明負荷の光出力が段階的に変化する段調光と連続的に変化する連続調光とを操作部の入力に応じて切り替える調光切替手段と、照明負荷における段調光の光出力または連続調光の光出力を操作部の入力に応じて増減する光出力増減手段を備えるとともに、照明制御システムの伝送を制御する伝送制御装置が、照明制御装置が送信した制御データに基づいて照明負荷における段調光の光出力を記憶する光出力記憶手段を備え、この光出力記憶手段が記憶する段調光の光出力と光出力増減手段が増減する段調光の光出力または連続調光の光出力に基づいて照明負荷に調光信号を送信することを特徴とする。
【００１０】
請求項３にあっては、この課題を解決するために、請求項２の解決手段に加え、照明制御装置が、照明負荷における段調光の各段を操作部の入力に応じて切り替える段調光切替手段を備えるとともに、伝送制御装置が、照明制御装置が送信した制御データに基づいて照明負荷における段調光の光出力を各段で記憶する光出力記憶手段を備えたことを特徴とする。
【発明の効果】
【００１１】
請求項１の発明によれば、照明負荷の近傍に設置した照明制御装置が、この照明負荷における段調光の光出力を増減し、段調光の光出力を各段で記憶するので、照明負荷における明るさを実際に目視しながら段調光の光出力を各段で変更することができる。
【００１２】
請求項２の発明によれば、照明負荷の近傍に設置した照明制御装置が、この照明負荷における段調光の光出力と連続調光の光出力を増減し、伝送制御装置が段調光の光出力を記憶するので、照明負荷における実際の明るさを目視しながら段調光の光出力を変更することができる。また、段調光と連続調光を１つの照明制御装置で制御することができる。さらに、複数の照明負荷で同じ段調光の光出力に切り替えることができるとともに、段調光の光出力を変更することができる。
【００１３】
請求項３の発明によれば、請求項２の効果に加え、伝送制御装置が、段調光の光出力を各段で記憶するので、複数の照明負荷で同じ段調光の光出力に切り替えることができるとともに、段調光の光出力を各段で変更することができる。
【発明を実施するための最良の形態】
【００１４】
本発明の第１実施形態について図面を参照しながら説明する。
【００１５】
第１実施形態では、照明負荷の近傍壁面に設置した、照明負荷の光出力を段階的に変化する（以降、段調光と表記）照明制御装置が、段調光における各段の光出力を制御するための電気信号を照明負荷に送信する。また、第１実施形態では、この照明制御装置が、段調光における各段の光出力を増減し、増減した光出力を各段で記憶することを特徴とするものである。
【００１６】
これらによって、第１実施形態に係る照明制御装置は、ユーザによって、照明負荷の明るさを実際に目視しながら段調光の光出力を各段で変更させることができる。また、この第１実施形態に係る照明制御装置によれば、調光信号を送信するための端末器を設置することなく照明負荷に調光信号を送信することができる。
【００１７】
以降、この照明制御装置の構成と作用とについて説明する。
【００１８】
図１は、第１実施形態における照明制御装置の外観を示した正面図である。照明制御装置２は、本体ハウジングの裏面に設けた金具（図示しない）で壁面に設置している。
【００１９】
図２は、第１実施形態における照明制御装置２の主要構成を機能別に示したブロック図である。照明制御装置２は、第１の段調光スイッチ２１と、第２の段調光スイッチ２２と、第３の段調光スイッチ２３と、アップスイッチ２４と、ダウンスイッチ２５と、記憶スイッチ２６と、調光スイッチ２７と、スイッチインターフェース（以降、スイッチＩ／Ｆ部２８と表記）と、調光データ記憶部３０と、調光信号送信部３１と、データ送受信部３２と、照明制御部２９とを構成要素としている。各スイッチ２１〜２７は、図１で示したように本体ハウジングの内部から外部に露出している。
【００２０】
第１の段調光スイッチ２１と、第２の段調光スイッチ２２と、第３の段調光スイッチ２３とは、ユーザによる段調光の各段を切り替える操作を電気信号に変換する。アップスイッチ２４とダウンスイッチ２５とは、段調光の光出力を各段で増減する操作を電気信号に変換する。記憶スイッチ２６は、段調光の光出力を各段で記憶する操作を電気信号に変換する。調光スイッチ２７は、照明負荷９を点灯・消灯する操作を電気信号に変換する。
【００２１】
スイッチＩ／Ｆ部２８は、各スイッチ２１〜２７と照明制御部２９とにおける信号のやりとりを仲介する。また、スイッチＩ／Ｆ部２８は、第１の段調光スイッチ２１と、第２の段調光スイッチ２２と、第３の段調光スイッチ２３と、調光スイッチ２７とが動作するとそれぞれに対応する図１で示したオン・オフ表示部２ａを制御する。具体的には、スイッチＩ／Ｆ部２８は、スイッチ２１〜２７がオンのときは、当該スイッチ２１〜２７に対応したオン・オフ表示部２ａのうちの赤のＬＥＤ（Light Emitting Diode）を点灯し、スイッチ２１〜２７がオフのときは、当該スイッチ２１〜２７に対応したオン・オフ表示部２ａのうちの緑のＬＥＤを点灯する。
【００２２】
照明制御部２９は、調光データ記憶部３０と、調光信号送信部３１と、データ送受信部３２とを制御する。具体的には、照明制御部２９は、ＣＰＵ（Central Processing Unit）を用いて構成されている。
【００２３】
調光データ記憶部３０は、第１の段調光スイッチ２１と、第２の段調光スイッチ２２と、第３の段調光スイッチ２３とに対応した、照明負荷９の光出力を制御するためのデータ（以降、調光データと表記）を記憶する。具体的には、調光データ記憶部３０は、ＥＥＰＲＯＭ（Electrically Erasable Programmable Read Only Memory）を用いて構成されている。
【００２４】
調光信号送信部３１は、各段調光スイッチ２１〜２３に対応した調光データを調光信号に変換して照明負荷９に送信する。この調光データは、照明負荷９の点灯強度を表し、たとえば、３０％、５０％、８０％といった、０％（消灯）〜１００％の中間値を表している。なお、調光信号の送信するための電力は多重伝送信号線の±２４Ｖから作成している。
【００２５】
データ送受信部３２は、後述のリレー端末器５を制御するためのデータ（以降、オン・オフ制御データと表記）を伝送制御装置４に送信する。
【００２６】
図３は、第１実施形態の照明制御装置２を備えた照明制御システム１の主要構成を示したブロック図である。照明制御システム１は、照明制御装置２と、伝送制御装置４と、トランスユニット８と、照明負荷９と、リレー端末器５と、リレー７とを構成要素としている。照明制御装置２は、２線式の信号線で照明負荷９と接続し、多重伝送方式を用いた２線式の信号線（多重伝送信号線）で伝送制御装置４とリレー端末器５と接続している。照明負荷９は、リレー７と２線式の電力線で接続している。リレー端末器５は、トランスユニット８を経由してリレー７と接続し、伝送制御装置４と多重伝送方式を用いた２線式の信号線で接続している。
【００２７】
伝送制御装置４は、照明制御システム１における信号の伝送を制御する。具体的には、ビット分割・割込式サイクリック時分割多重伝送方式を用いている。
【００２８】
リレー端末器５は、パルス的な電源をリレー７に供給することでリレー７の接点をオン・オフ制御する。
【００２９】
リレー７は、リレー端末器５が供給するパルス的な電源を受給すると接点をオン・オフする。具体的には、ラッチング型を用いている。
【００３０】
トランスユニット８は、リレー７が接点を閉じると照明の点灯に必要な電力を照明負荷９に供給する。
【００３１】
照明負荷９は、トランスユニット８が供給する電力をもとに照明制御装置２が送信した調光信号に基づいて光出力を制御する。具体的には、インバーター蛍光灯を用いている。
【００３２】
以上の構成による照明制御装置２の動作について説明する。
【００３３】
照明負荷９を点灯させる操作を照明制御部２９が検知すると、照明制御部２９は、検知した段調光スイッチ２１〜２３のいずれかに対応する調光データを出力するよう調光データ記憶部３０に指示する。調光データ記憶部３０は、照明制御部２９に調光データを出力する。照明制御部２９は、調光信号送信部３１にこの調光データを出力するとともに、照明負荷９に送信するよう指示する。調光信号送信部３１は、照明制御部２９が出力した調光データを調光信号に変換して照明負荷９に送信する。また、照明制御部２９は、オン・オフ制御データをリレー端末器５に対して送信するようデータ送受信部３２に指示する。データ送受信部３２は、オン・オフ制御データをリレー端末器５に送信する。伝送制御装置４は、照明制御装置２が送信したオン・オフ制御データをリレー端末器５に送信する。リレー端末器５は、伝送制御装置４が送信したオン・オフ制御データを受信し、このオン・オフ制御データに基づいてリレー７にパルス的な電源を供給する。リレー７は、リレー端末器５が供給するパルス的な電源を受給して接点を閉じる。トランスユニット８は、リレー７が接点を閉じると照明の点灯に必要な電力を照明負荷９に供給する。これらによって、照明負荷９は、リレー７から供給された電力を用いて、操作されたいずれかの段調光スイッチ２１〜２３に対応した調光信号に従って、照明負荷９を段調光制御する。
【００３４】
照明負荷９の点灯時において、照明制御部２９が段調光の光出力を増減する操作を検知すると、照明制御部２９は、現時点で照明負荷９に点灯させている光出力の段調光スイッチに対応する調光データを出力するよう調光データ記憶部３０に指示する。調光データ記憶部３０は、照明制御部２９に調光データを出力する。照明制御部２９は、検知した操作内容に基づいてこの調光データを増減し、増減した調光データを調光信号送信部３１に出力するとともに、照明負荷９に送信するよう指示する。調光信号送信部３１は、調光データを調光信号に変換して照明負荷９に送信する。また、照明制御部２９は、増減した調光データを調光データ記憶部３０に出力するとともに、一時的に保持するよう指示する。調光データ記憶部３０は、この調光データを一時的に保持する。これらによって、照明負荷９は、上述したように段調光スイッチ２１〜２３が操作された後に、光出力を変化させる操作がなされた場合には、当該段調光スイッチ２１〜２３に対応した段調光の光出力から変更された光出力に制御される。
【００３５】
照明負荷９の点灯時において、上述のように照明負荷９の光出力が増減された後に、照明制御部２９が段調光の光出力を記憶する操作を検知すると、照明制御部２９は、保持している調光データを記憶するよう調光データ記憶部３０に指示する。調光データ記憶部３０は、保持している調光データが現時点の段調光スイッチ２１〜２３に対応するものであれば記憶する。
【００３６】
つぎに、本発明の第２実施形態について図面を参照しながら説明する。なお、上述した第１実施形態と同じ部分については、同一符号を付することによりその詳細な説明を省略する。
【００３７】
第２実施形態では、照明負荷９の近傍壁面に設置した、照明負荷９の光出力を連続的に変化する（以降、連続調光と表記）照明制御装置２が、伝送制御装置４を制御するためのデータ（以降、調光制御データと表記）を伝送制御装置４に送信する。また、伝送制御装置４がこの調光制御データに基づいて照明負荷９の制御方式を連続調光モードと段調光モードとを切り替え、照明負荷９の光出力を増減し、増減した光出力を記憶する。
【００３８】
これらによって、照明負荷９の明るさを実際に目視しながら連続調光の光出力を調整するとともに、段調光モードにおける照明負荷９の光出力を変更することができる。また、段調光を制御するための端末器を設置することなく段調光の光出力を制御することができる。さらに、段調光の光出力に切り替えてから連続調光で調整することができる。さらにまた、複数の照明制御装置２で同じ段調光の光出力に切り替えることができるとともに、段調光の光出力を変更することができる。
【００３９】
以降、この照明制御システム１の構成と動作について説明する。
【００４０】
図４は、第２実施形態における照明制御システム１の主要構成を示したブロック図である。照明制御システム１は、第１実施形態に加えて調光端末器６を構成要素としている。調光端末器６は、多重伝送方式を用いた２線式の信号線で伝送制御装置４とリレー端末器５と接続し、２線式の信号線で照明負荷９と接続している。照明制御装置２は、多重伝送方式を用いた２線式の信号線で伝送制御装置４とリレー端末器５と調光端末器６と接続している。
【００４１】
調光端末器６は、調光データを調光信号に変換して照明負荷９に送信する。また、調光端末器６は、照明制御装置２が調光端末器６を制御するための制御データ（以降、調光信号制御データと表記）に基づいて調光信号を照明負荷９に送信する。
【００４２】
図５は、第２実施形態における伝送制御装置４の主要構成を機能別に示したブロック図である。伝送制御装置４は、データ送受信部４３と、調光データ記憶部４２と、伝送制御部４１とを構成要素としている。
【００４３】
伝送制御部４１は、調光データ記憶部４２とデータ送受信部４３とを制御する。具体的には、伝送制御部４１は、ＣＰＵを用いて構成されている。
【００４４】
調光データ記憶部４２は、後述するが、照明制御装置２に対するユーザの操作に基づいて設定された段調光の光出力を表す調光データを記憶する。具体的には、調光データ記憶部４２は、ＥＥＰＲＯＭを用いて構成されている。
【００４５】
データ送受信部４３は、照明制御装置２が送信した調光制御データまたは調光信号制御データを受信する。また、データ送受信部４３は、照明制御装置２が送信したオン・オフ制御データをリレー端末器５に送信する。さらに、データ送受信部４３は、調光信号制御データまたは調光データを調光端末器６に送信する。
【００４６】
図６は、第２実施形態における照明制御装置２の外観を示した正面図である。照明制御装置２は、第１実施形態と同様に壁面設置している。この第２実施形態における照明制御装置２は、第１実施形態における照明制御装置２とは異なり、アップスイッチ２４と、ダウンスイッチ２５と、オン・オフスイッチ３５のみで構成されている。
【００４７】
図７は、第２実施形態における照明制御装置２の主要構成を機能別に示したブロック図である。照明制御装置２は、アップスイッチ２４と、ダウンスイッチ２５と、オン・オフスイッチ３５と、スイッチＩ／Ｆ部２８と、照明制御部２９と、データ送受信部３２とを構成要素としている。各スイッチ２４，２５，３５は、図６で示したように本体ハウジングの内部から外部に露出している。
【００４８】
オン・オフスイッチ３５は、照明負荷９を点灯・消灯する操作と、連続調光モードと段調光モードとを切り替える操作と、段調光の光出力を記憶する操作とを電気信号に変換する。なお、アップスイッチ２４とダウンスイッチ２５とについては第１実施形態と同等である。
【００４９】
スイッチＩ／Ｆ部２８は、各スイッチ２４，２５，３５と照明制御部２９とにおける信号のやりとりを仲介する。
【００５０】
照明制御部２９は、データ送受信部３２を制御して、伝送制御装置４に記憶させる段調光の光出力を出力させたり、伝送制御装置４を介して調光端末器６に調光信号を出力させたりする。また、照明制御部２９は、オン・オフスイッチ３５が出力した電気信号の出力時間（操作時間）に基づいて、照明負荷９を点灯・消灯する操作と、連続調光モードと段調光モードとを切り替える操作と、段調光モードにおける光出力を記憶する操作とのいずれかを識別する。具体的には、照明制御部２９は、操作時間が２秒以下である場合には、照明負荷９を点灯・消灯する操作と判断し、操作時間が２秒以上４秒以下である場合には、連続調光モードと段調光モードとを切り替える操作と判断し、操作時間が４秒以上である場合には、段調光モードにおける光出力を記憶する操作と判断する。さらに、照明制御部２９は、アップスイッチ２４，ダウンスイッチ２５の操作によって変化される光出力の強度を表すように、光出力表示部２ｂを制御する。具体的には、光出力表示部２ｂは、複数のＬＥＤからなり、点灯させるＬＥＤの数によって照明負荷９の光出力の強度を表す。
【００５１】
データ送受信部３２は、オン・オフ制御データまたは、調光制御データ、調光信号制御データを伝送制御装置４に送信する。
【００５２】
以上の構成による照明制御システム１の動作について説明する。
【００５３】
照明負荷９を連続調光モードで点灯させているときにおいて、照明制御装置２の照明制御部２９が連続調光モードと段調光モードとを切り替える操作を検知すると、照明制御部２９は、調光制御データをデータ送受信部３２に出力するとともに、伝送制御装置４に送信するよう指示する。データ送受信部３２は、この調光制御データを伝送制御装置４に送信する。伝送制御装置４のデータ送受信部４３は、照明制御装置２が送信した調光制御データを受信し、伝送制御部４１に出力する。伝送制御部４１は、この調光制御データに基づいて調光データ記憶部４２に調光データを出力するよう指示する。調光データ記憶部４２は、伝送制御部４１に調光データを出力する。伝送制御部４１は、この調光データをデータ送受信部４３に出力するとともに、調光端末器６に送信するよう指示する。データ送受信部４３は、伝送制御装置４が送信した調光データを調光端末器６に送信する。調光端末器６は、伝送制御装置４が送信した調光データを受信し、この調光データを調光信号に変換して照明負荷９に再送信する。これらによって、照明負荷９は、伝送制御装置４に記憶させていた調光データで表されている段調光の光出力で点灯する。
【００５４】
照明負荷９を段調光モードで点灯させているときにおいて、照明制御装置２の照明制御部２９が段調光モードにおける光出力を増減する操作を検知すると、照明制御部２９は、当該操作による増減量を表す調光制御データをデータ送受信部３２に出力するとともに、伝送制御装置４に送信するよう指示する。データ送受信部３２は、この調光制御データを伝送制御装置４に送信する。伝送制御装置４のデータ送受信部４３は、照明制御装置２が送信した調光制御データを受信し、伝送制御部４１に出力する。伝送制御部４１は、この調光制御データに基づいて現時点の調光データを出力するよう調光データ記憶部４２に指示する。調光データ記憶部４２は、伝送制御部４１に調光データを出力する。照明制御部４１は、調光制御データによって表されている増減量に従ってこの調光データを増減し、増減した調光データをデータ送受信部４３に出力するとともに、調光端末器６に送信するよう指示する。また、照明制御部４１は、増減した調光データを調光データ記憶部４２に出力するとともに、一時的に保持するよう指示する。データ送受信部４３は、この調光データを調光端末器６に送信する。調光データ記憶部４２は、この調光データを一時的に保持する。調光端末器６は、伝送制御装置４が送信した調光データを調光信号に変換して照明負荷９に再送信する。これらによって、照明負荷９は、段調光モードにおける照明負荷９の光出力を増減させる。
【００５５】
照明負荷９の段調光における点灯時において、上述したように段調光モードにおける光出力が調整され、照明制御装置２の照明制御部２９が段調光の光出力を記憶する操作を検知すると、照明制御部２９は、現在の段調光モードにおける照明負荷９の光出力を記憶する命令を含む調光制御データをデータ送受信部３２に出力するとともに、伝送制御装置４に送信するよう指示する。データ送受信部３２は、この調光制御データを伝送制御装置４に送信する。伝送制御装置４のデータ送受信部４３は、照明制御装置２が出力した調光制御データを受信し、伝送制御部４１に出力する。伝送制御部４１は、この調光制御データにて命令されたように、保持している調光データを記憶するよう調光データ記憶部４２に指示する。調光データ記憶部４２は、保持している調光データを記憶する。これによって、この照明制御システム１は、あらかじめ伝送制御装置４に記憶していた段調光モードにおける光出力を増減させた場合に、当該増減された光出力を記憶させて、段調光モードにおける光出力を更新できる。
【００５６】
図８は、段調光の光出力を記憶する操作を検知したときの伝送制御装置４と照明制御装置２とにおける伝送手順を示した図である。
【００５７】
Ｓ１において、照明制御装置２は、段調光の光出力を記憶する操作を検知すると伝送制御装置４に割り込みパルスを送信する。Ｓ２において、伝送制御装置４は、Ｓ１において割り込みパルスを送信した照明制御装置２に識別アドレスを問い合わせる。Ｓ３において、照明制御装置２は、Ｓ２の問い合わせに応答して、伝送制御装置４に識別アドレスを返信する。Ｓ４において、伝送制御装置４は、Ｓ３にて識別アドレスを返信した照明制御装置２に、割り込みパルスを発生した要因となる要求内容を問い合わせる。Ｓ５において、照明制御装置２は、Ｓ４の問い合わせに応答して、伝送制御装置４に、Ｓ１にて操作された段調光の光出力を記憶する要求を送信する。Ｓ６において、伝送制御装置４は、Ｓ５にて送信された要求に含まれる段調光の光出力を記憶した後に、照明制御装置２にＡＣＫを送信する。Ｓ７において、照明制御装置２は、伝送制御装置４にＡＣＫを返信する。
【００５８】
図９は、照明負荷９の制御方式を連続調光モードと段調光モードとで切り替える操作を検知したときの伝送制御装置４と、照明制御装置２と、調光端末器６とにおける伝送手順を示した図である。
【００５９】
Ｓ１１において、照明制御装置２は、連続調光モードと段調光モードとで切り替える切替操作を検知すると伝送制御装置４に割り込みパルスを送信する。Ｓ１２において、伝送制御装置４は、Ｓ１１の割り込みパルスを送信した照明制御装置２に識別アドレスを問い合わせる。Ｓ１３において、照明制御装置２は、Ｓ１２の問い合わせに応答して、伝送制御装置４に識別アドレスを返信する。Ｓ１４において、伝送制御装置４は、Ｓ１３にて識別アドレスを返信した照明制御装置２に、割り込みパルスを発生させた要因となる要求内容を問い合わせる。Ｓ１５において、照明制御装置２は、伝送制御装置４に、Ｓ１１で操作されたように連続調光モードを段調光モードに切り替える要求を送信する。Ｓ１６において、伝送制御装置４は、照明負荷９の制御方式を連続調光モードから段調光モードに切り替えた後に、段調光モードに切り替える要求を送信した照明制御装置２に、ＡＣＫを送信する。Ｓ１７において、照明制御装置２は、伝送制御装置４にＡＣＫを返信する。Ｓ１８において、伝送制御装置４は、調光端末器６に、現在の照明負荷９の状態を問い合わせる。Ｓ１９において、調光端末器６は、伝送制御装置４に、現在の照明負荷９の状態を返信する。Ｓ２０において、伝送制御装置４は、段調光モードでの制御を要求した照明制御装置２に、調光制御データを問い合わせる。Ｓ２１において、照明制御装置２は、伝送制御装置４に調光制御データを返信する。Ｓ２２において、伝送制御装置４は、調光制御データに基づいて調光端末器６に調光データを送信する。Ｓ２３において、伝送制御装置４は、調光端末器６に状態を問い合わせる。Ｓ２４において、調光端末器６は、伝送制御装置４に状態を返信する。
【００６０】
つぎに、本発明の第３実施形態について図面を参照しながら説明する。なお、第２実施形態と同等のものについては、同一の符号を付することによってその説明を省略することがある。
【００６１】
第３実施形態では、第２実施形態に加え、伝送制御装置４が、段調光の光出力を各段で増減し、増減した光出力を各段で記憶する。
【００６２】
これによって、照明負荷９の明るさを実際に目視しながら連続調光の光出力を調整するとともに、段調光における各段の光出力を各段で変更することとができる。また、段調光を制御するための端末器を設置することなく照明負荷９の光出力を段調光で制御することができる。さらに、段調光に切り替えてから連続調光で光出力を調整することができる。さらにまた、複数の照明制御装置２で同じ段調光の光出力に切り替えることができるとともに、段調光の光出力を各段で変更することができる。
【００６３】
以降、この照明制御システム１の構成と作用について説明する。
【００６４】
第３実施形態における照明制御システム１の構成は、第２実施形態と同等である。
【００６５】
伝送制御装置４の構成は、図６に示した第２実施形態と同等である。調光データ記憶部４２は、第１の段調光スイッチ２１と、第２の段調光スイッチ２２と、第３の段調光スイッチ２３とに対応した調光データを記憶する。具体的には、ＥＥＰＲＯＭを用いている。
【００６６】
図１０は、第３実施形態における照明制御装置の外観を示した正面図である。照明制御装置２は、第１実施形態と同様に壁面設置している。
【００６７】
図１１は、第３実施形態における照明制御装置の主要構成を機能別に示したブロック図である。照明制御装置２は、第１の段調光スイッチ２１と、第２の段調光スイッチ２２と、第３の段調光スイッチ２３と、アップスイッチ２４と、ダウンスイッチ２５と、調光スイッチ２７と、オン・オフスイッチ３５と、スイッチＩ／Ｆ部２８と、照明制御部２９と、データ送受信部３２とを構成要素としている。各スイッチは、図１１で示したように本体ハウジングの内部から外部に露出している。
【００６８】
調光スイッチ２７は、照明負荷９の調光をオン・オフする操作を電気信号に変換する。なお、第１の段調光スイッチ２１と、第２の段調光スイッチ２２と、第３の段調光スイッチ２３と、アップスイッチ２４と、ダウンスイッチ２５とは、第１実施形態と同等である。また、スイッチＩ／Ｆ部２８は、第１実施形態と同等である。
【００６９】
このような第３実施形態に係る照明制御システム１によれば、照明制御装置２が、照明負荷９における段調光の各段を段調光スイッチ２１〜２３の入力に応じて切り替えることができる。この場合、照明制御システム１においては、伝送制御装置４に記憶された段調光スイッチ２１〜２３に対応した段調光の光出力値を、当該伝送制御装置４から調光端末器６に送信し、調光端末器６によって照明負荷９の光出力値を変化させる。
【００７０】
以上、本発明の最適な実施形態について説明したのだが、本発明は、これらの実施形態に限らず、要旨を逸脱しない範囲でさまざまな改変を施すことができる。
【図面の簡単な説明】
【００７１】
【図１】第１実施形態における照明制御装置の外観を示した正面図である。
【図２】第１実施形態における照明制御装置の主要構成を機能別に示したブロック図である。
【図３】第１実施形態における照明制御システムの主要構成を示したブロック図である。
【図４】第２実施形態における照明制御システムの主要構成を示したブロック図である。
【図５】第２実施形態における照明制御装置の外観を示した正面図である。
【図６】第２実施形態における伝送制御装置の主要構成を機能別に示したブロック図である。
【図７】第２実施形態における照明制御装置の主要構成を機能別に示したブロック図である。
【図８】段調光の光出力を記憶する操作を検知したときの伝送制御装置と照明制御装置とにおける伝送手順を示した図である。
【図９】連続調光と段調光とを切り替える操作を検知したときの伝送制御装置と照明制御装置と調光端末器とにおける伝送手順を示した図である。
【図１０】第３実施形態における照明制御装置の外観を示した正面図である。
【図１１】第３実施形態における照明制御装置の主要構成を機能別に示したブロック図である。
【符号の説明】
【００７２】
１    照明制御システム
２    照明制御装置
２ａ  オン・オフ表示部
２ｂ  光出力表示部
４    伝送制御装置
５    リレー端末器
６    調光端末器
７    リレー
８    トランスユニット
９    照明負荷
２１    第１の段調光スイッチ
２２    第２の段調光スイッチ
２３    第３の段調光スイッチ
２４    アップスイッチ
２５    ダウンスイッチ
２６    記憶スイッチ
２７    調光スイッチ
２８    スイッチＩ／Ｆ部
２９    照明制御部
３０    調光データ記憶部
３１    調光信号送信部
３２    データ送受信部
３５    オン・オフスイッチ
４１    伝送制御部
４２    調光データ記憶部
４３    データ送受信部
【図１】
2009004292.tif 000003
【図２】
2009004292.tif 000004
【図３】
2009004292.tif 000005
【図４】
2009004292.tif 000006
【図５】
2009004292.tif 000007
【図６】
2009004292.tif 000008
【図７】
2009004292.tif 000009
【図８】
2009004292.tif 000010
【図９】
2009004292.tif 000011
【図１０】
2009004292.tif 000012
【図１１】
2009004292.tif 000013